【手続補正書】
【提出日】平成15年12月9日(2003.12.9)
【手続補正１】
【補正対象書類名】明細書
【補正対象項目名】発明の名称
【補正方法】変更
【補正の内容】
【発明の名称】水素製造車両、水素供給システム及び水素供給方法
【手続補正２】
【補正対象書類名】明細書
【補正対象項目名】特許請求の範囲
【補正方法】変更
【補正の内容】
【特許請求の範囲】
【請求項１】
水素に改質可能な燃料用ガスを供給する燃料用ガスタンクと水素が充填される水素タンクとを有するガススタンドと、
前記燃料用ガスタンクより供給された燃料用ガスから水素を生成して前記水素タンクに充填する水素生成供給装置を有する移動可能な水素製造車両と、
を備えたことを特徴とする水素供給システム。
【請求項２】
水素に改質可能な燃料用ガスを供給する燃料用ガス精製工場と、
水素が充填される水素タンクを有するガススタンドと、
前記燃料用ガス精製工場より供給された燃料用ガスから水素を生成して前記水素タンクに充填する水素生成供給装置を有し、前記燃料用ガス精製工場と前記ガススタンドとの間を移動可能な水素製造車両と、
を備えたことを特徴とする水素供給システム。
【請求項３】
前記水素タンクは、水素を燃料とする燃料電池式電気自動車に着脱自在に搭載される請求項１又は２記載の水素供給システム。
【請求項４】
水素に改質可能な燃料用ガスを供給するガススタンドに、水素を充填可能な水素タンクを設け、
燃料用ガスから水素を生成する水素製造車両を前記ガススタンドに移動させ、
前記ガススタンドより前記水素製造車両に前記燃料用ガスを供給して水素を生成し、
該水素を前記ガススタンドの水素タンクに充填することを特徴とする水素供給方法。
【請求項５】
ガススタンドに、水素を充填可能な水素タンクを設け、
水素に改質可能な燃料用ガスを供給する燃料用ガス精製工場より、燃料用ガスから水素を生成する水素製造車両に前記燃料用ガスを供給し、輸送させ、
輸送中に生成された水素を前記ガススタンドの水素タンクに充填することを特徴とする水素供給方法。
【請求項６】
水素に改質可能な燃料用ガスが供給され、該燃料用ガスから水素を加熱生成する水素生成装置と、
該生成した水素を走行風により冷却するコンデンサと、
該冷却された水素を外部に供給する水素供給装置とを有し、移動可能であることを特徴とする水素製造車両。
【手続補正３】
【補正対象書類名】明細書
【補正対象項目名】０００１
【補正方法】変更
【補正の内容】
【０００１】
【発明の属する技術分野】
この発明は、燃料用ガスから水素を生成する水素製造車両及び該水素製造車両を用いる水素供給システムに関し、特に、既存のガススタンドに保存されているＬＰＧガス等から電気自動車の燃料電池用水素ガスを生成する水素製造車両、水素供給システム及び水素供給方法に関するものである。


【手続補正４】
【補正対象書類名】明細書
【補正対象項目名】０００７
【補正方法】変更
【補正の内容】
【０００７】
本発明は、上述した課題を解決するためになされたものであり、その目的とするところは、既存の施設を利用し、水素スタンドに対して安定して水素を供給できる水素製造車両、水素供給システム及び水素供給方法を提供することにある。


【手続補正５】
【補正対象書類名】明細書
【補正対象項目名】０００８
【補正方法】変更
【補正の内容】
【０００８】
【課題を解決するための手段】
請求項１の水素供給システムは、水素に改質可能な燃料用ガスを供給する燃料用ガスタンクと水素が充填される水素タンクとを有するガススタンドと、
前記燃料用ガスタンクより供給された燃料用ガスから水素を生成して前記水素タンクに充填する水素生成供給装置を有する移動可能な水素製造車両と、
を備えたことを特徴とする。
【手続補正６】
【補正対象書類名】明細書
【補正対象項目名】０００９
【補正方法】変更
【補正の内容】
【０００９】
請求項２の水素供給システムは、水素に改質可能な燃料用ガスを供給する燃料用ガス精製工場と、
水素が充填される水素タンクを有するガススタンドと、
前記燃料用ガス精製工場より供給された燃料用ガスから水素を生成して前記水素タンクに充填する水素生成供給装置を有し、前記燃料用ガス精製工場と前記ガススタンドとの間を移動可能な水素製造車両と、を備えたことを技術的特徴とする。
【手続補正７】
【補正対象書類名】明細書
【補正対象項目名】００１０
【補正方法】変更
【補正の内容】
【００１０】
請求項３の水素供給システムは、請求項１又は請求項２において、前記水素タンクは、水素を燃料とする燃料電池式電気自動車に着脱自在に搭載されることを技術的特徴とする。
【手続補正８】
【補正対象書類名】明細書
【補正対象項目名】００１１
【補正方法】変更
【補正の内容】
【００１１】
請求項４の水素供給方法は、水素に改質可能な燃料用ガスを供給するガススタンドに、水素を充填可能な水素タンクを設け、燃料用ガスから水素を生成する水素製造車両を前記ガススタンドに移動させ、前記ガススタンドより前記水素製造車両に前記燃料用ガスを供給して水素を生成し、該水素を前記ガススタンドの水素タンクに充填することを技術的特徴とする。
【手続補正９】
【補正対象書類名】明細書
【補正対象項目名】００１２
【補正方法】変更
【補正の内容】
【００１２】
請求項５の水素供給方法は、ガススタンドに、水素を充填可能な水素タンクを設け、水素に改質可能な燃料用ガスを供給する燃料用ガス精製工場より、燃料用ガスから水素を生成する水素製造車両に前記燃料用ガスを供給し、輸送させ、輸送中に生成された水素を前記ガススタンドの水素タンクに充填することを技術的特徴とする。
【手続補正１０】
【補正対象書類名】明細書
【補正対象項目名】００１３
【補正方法】変更
【補正の内容】
【００１３】
請求項６の水素製造車両は、水素に改質可能な燃料用ガスが供給され、該燃料用ガスから水素を加熱生成する水素生成装置と、
該生成した水素を走行風により冷却するコンデンサと、
該冷却された水素を外部に供給する水素供給装置とを有し、移動可能であることを技術的特徴とする。
【手続補正１１】
【補正対象書類名】明細書
【補正対象項目名】００１４
【補正方法】変更
【補正の内容】
【００１４】
請求項６の水素製造車両は、移動可能な水素製造車両が、燃料ガスから水素を生成するため、移動中に水素を生成することができる。また、生成した水素を輸送時の走行風により冷却するため、効率的に冷却できる。
【手続補正１２】
【補正対象書類名】明細書
【補正対象項目名】００１５
【補正方法】変更
【補正の内容】
【００１５】
請求項１〜請求項４の水素供給システム、水素供給方法は、移動可能な水素製造車両に搭載された水素生成装置により、各ガススタンドにて燃料ガスから水素を生成できるので、生成装置を備えることなく、又、輸送することなく、各ガススタンドにて水素を供給させることが可能となる。
請求項３の水素供給システムでは、水素タンクが燃料電池式電気自動車に着脱自在に搭載されるため、燃料電池式電気自動車への水素の供給が容易である。
【手続補正１３】
【補正対象書類名】明細書
【補正対象項目名】００１６
【補正方法】変更
【補正の内容】
【００１６】
請求項５の水素製造方法は、移動可能な水素製造車両に搭載された水素生成装置により、各ガススタンドにて燃料ガスから水素を生成できるので、生成装置を備えることなく、又、輸送することなく、各ガススタンドにて水素を供給させることを実現できる。
また、該水素製造車両が移動中も、水素生成装置にて貯蔵タンクの燃料ガスから水素を生成し、水素タンクに貯蔵することができる。このため、１のガススタンドでの水素の生成が終了し、次のガススタンドへ移動する際にも、水素の生成を継続することができるので、該水素生成装置を移動時に一旦休止する場合と比較して、効率良く水素を生成することが可能となる。


【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００４５
【補正方法】変更
【補正の内容】
【００４５】
【発明の効果】
以上のように、本発明によれば、既存の施設を利用し、水素スタンドに対して安定して水素を供給できる水素製造車両、水素供給システム及び水素供給方法を提供できる。